(57)【特許請求の範囲】
【請求項１】
ラスタデータからなる複数ページの図面データを含む図面ファイルを記憶する記憶手段と、この記憶手段から読み出された図面データを記憶して図面データの編集ワークエリアを提供するメモリと、前記記憶手段から図面ファイルを読み出して前記メモリに格納するファイル処理手段と、前記メモリに読み出された図面データを編集する編集手段と、前記メモリに格納された図面データを表示画面上に表示する表示手段とを備えた図面ファイルの作成編集システムにおける図面ファイルの作成編集方法であって、
前記ファイル処理手段によって、前記複数ページの図面データを含む図面ファイルを前記記憶手段から前記メモリに読み込むステップと、
前記メモリに読み込まれた複数ページの図面データを前記表示手段によって前記表示画面上に重ねて表示するステップと、
前記メモリに読み込まれた各ページの図面データを各レイヤに属する図面データとして、前記編集手段により編集処理するステップと
を備えたことを特徴とする図面ファイルの作成編集方法。
【請求項２】
前記編集手段によって前記図面データを編集処理するステップは、前記各レイヤ毎にそのレイヤ色を設定するステップを含むものである
ことを特徴とする請求項１記載の図面ファイルの作成編集方法。
【請求項３】
前記表示手段によって前記図面データを前記表示画面上に表示するステップは、予め各レイヤ毎に設定されたレイヤ色に従って前記図面データを表示するステップである
ことを特徴とする請求項２記載の図面ファイルの作成編集方法。
【請求項４】
前記表示手段によって前記図面データを前記表示画面上に表示するステップは、アクティブレイヤについては、そのレイヤに予め設定されたレイヤ色を高い輝度で表示し、非アクティブレイヤについては、そのレイヤに予め設定されたレイヤ色を低い輝度で表示するステップである
ことを特徴とする請求項３記載の図面ファイルの作成編集方法。
【請求項５】
前記図面ファイルは、マルチページＴＩＦＦファイルである
ことを特徴とする請求項１〜４のいずれか１項記載の図面ファイルの作成編集方法。
【請求項６】
前記編集手段によって前記図面データを編集処理するステップは、前記メモリに読み込まれた図面データを構成するラスタデータの少なくとも一部をベクタデータに変換して、このベクタデータに対して前記レイヤ単位での編集処理を実行するステップを含む
ことを特徴とする請求項１〜５のいずれか１項記載の図面ファイルの作成編集方法。
【請求項７】
前記編集手段によって前記図面データを編集処理するステップは、前記表示手段により同一のレイヤに属するラスタデータとベクタデータとを、同一のレイヤ色で且つ輝度を異ならせて前記表示画面上に表示させるステップを更に含む
ことを特徴とする請求項６記載の図面ファイルの作成編集方法。
【請求項８】
前記図面データを編集処理するステップは、前記図面ファイルのページを適宜追加・削除するステップを含む
ことを特徴とする請求項１記載の図面ファイルの作成編集方法。
【請求項９】
コンピュータに、
記憶手段に記憶された複数ページの図面データを含む図面ファイルをメモリに読み込ませる処理と、
前記メモリに読み込まれた複数ページの図面データを表示手段の表示画面上に重ねて表示させる処理と、
前記メモリに読み込まれた各ページの図面データを各レイヤに属する図面データとして編集させる処理とを実行させる
図面ファイル作成編集処理プログラムを記憶してなるコンピュータに読み取り可能な記録媒体。
【発明の詳細な説明】
【０００１】
【発明の属する技術分野】
この発明は、ＣＡＤ等でラスタデータの編集処理を施す際にマルチレイヤを利用してラスタデータの編集を行う図面ファイルの作成編集方法及びそのプログラムを記憶してなる媒体に関する。
【０００２】
【従来の技術】
ＣＡＤシステムでは、図面データを構成するベクタデータからなる複数の図形要素を部品種別毎、加工工程毎等に分類し、それぞれを異なるレイヤに所属させることにより図形要素の整理やＮＣ加工プログラムの生成を容易にすること等がなされている。また、図形要素を異なるレイヤに所属させることにより、レイヤ毎の一括選択、不要なレイヤに所属する図形要素の非表示処理や、関連するレイヤのみの表示処理等によって編集作業も容易になる。
【０００３】
一方、近年、スキャナの読取精度の向上及びメモリ容量の飛躍的な増大に伴って、従前の紙図面をラスタデータとして取り込んで、必要な箇所のみを修正してラスタデータのまま保存したり、必要に応じてラスタデータをベクタデータに変換してＣＡＤシステムを利用した図面の編集を行うなど、ラスタデータを図面データとして有効利用することもなされている。
【０００４】
【発明が解決しようとする課題】
しかしながら、従来、ラスタデータをＣＡＤの図面のデータのようにレイヤ毎に分割するということはなされておらず、複数の図面データを編集作業で取り扱おうとすると、複数のラスタデータのファイルを同時に開いて、いわゆるカットアンドペースト処理により、１つのファイルに貼り付けていくという編集操作をしなくてはならない。この場合、一度貼り付けたラスタデータは、再度、分離することはできない。
【０００５】
この発明は、このような問題点に鑑みてなされたもので、ラスタデータからなる図面データのマルチレイヤによる編集操作を可能にする図面データの作成編集方法及びそのプログラムを記憶してなる媒体を提供することを目的とする。
【０００６】
【課題を解決するための手段】
この発明に係る図面ファイルの作成編集方法は、ラスタデータからなる複数ページの図面データを含む図面ファイルを記憶する記憶手段と、この記憶手段から読み出された図面データを記憶して図面データの編集ワークエリアを提供するメモリと、前記記憶手段から図面ファイルを読み出して前記メモリに格納するファイル処理手段と、前記メモリに読み出された図面データを編集する編集手段と、前記メモリに格納された図面データを表示画面上に表示する表示手段とを備えた図面ファイルの作成編集システムにおける図面ファイルの作成編集方法であって、前記ファイル処理手段によって、前記複数ページの図面データを含む図面ファイルを前記記憶手段から前記メモリに読み込むステップと、前記メモリに読み込まれた複数ページの図面データを前記表示手段によって前記表示画面上に重ねて表示するステップと、前記メモリに読み込まれた各ページの図面データを各レイヤに属する図面データとして、前記編集手段により編集処理するステップとを備えたことを特徴とする。
【０００７】
また、この発明に係るコンピュータに読み取り可能な記録媒体は、コンピュータに、記憶手段に記憶された複数ページの図面データを含む図面ファイルをメモリに読み込ませる処理と、前記メモリに読み込まれた複数ページの図面データを表示手段の表示画面上に重ねて表示させる処理と、前記メモリに読み込まれた各ページの図面データを各レイヤに属する図面データとして編集させる処理とを実行させる図面ファイル作成編集処理プログラムを記憶してなるものである。
【０００８】
前記図面データを編集処理するステップは、好ましくは前記各レイヤ毎にそのレイヤ色を設定するステップを含むものである。
【０００９】
前記図面データを表示するステップは、好ましくは予め各レイヤ毎に設定されたレイヤ色に従って前記図面データを表示するステップである。
【００１０】
前記図面データを表示するステップは、更にアクティブレイヤについては、そのレイヤに予め設定されたレイヤ色を高い輝度で表示し、非アクティブレイヤについては、そのレイヤに予め設定されたレイヤ色を低い輝度で表示するステップであることが望ましい。
【００１１】
前記図面ファイルは、マルチページＴＩＦＦファイルであることが望ましい。
【００１２】
前記編集処理を実行するステップは、好ましくは前記メモリに読み込まれた図面データを構成するラスタデータの少なくとも一部をベクタデータに変換して、このベクタデータに対して前記レイヤ単位での編集処理を実行するステップを含むものである。
【００１３】
前記編集処理を実行するステップは、同一のレイヤに属するラスタデータとベクタデータとを、同一のレイヤ色で且つ輝度を異ならせて表示するステップを更に含むものであることが望ましい。
【００１４】
前記図面ファイルを作成するステップ及び前記図面データを編集処理するステップは、前記図面ファイルのページを適宜追加・削除するステップを含むものである。
【００１５】
この発明によれば、ラスタデータからなる図面データを格納した図面ファイルが複数ページから構成され、この図面ファイルからオペレータが選択したページの図面データをメモリに読み込み、これらページの図面データを重ねて表示すると共に、メモリに読み込まれた各ページの図面データを、各レイヤに属する図面データとして編集処理するようにしている。このため、編集操作は１つのファイルに対してのみ行うことができ、しかもラスタデータを使用しながら各ページを各レイヤとするマルチレイヤの編集操作が可能になる。また、このように、ラスタデータをマルチレイヤ構造とすることで、編集作業用のレイヤを適宜追加、削除して、下書きを表示したり、ゴミ取り処理によって取り除かれた要素を取り敢えず記憶しておく等の用途に使用することができ、編集時の操作性が格段に向上する。
【００１６】
【発明の実施の形態】
以下、添付の図面を参照して、本発明の実施例について説明する。
図１は、この発明の一実施例に係る図面ファイルの作成編集方法を実現する図面ファイル作成編集装置の基本構成の一部を示す機能ブロック図である。
【００１７】
この図面ファイル作成編集装置は、主に文字・座標入力手段であるマウスやキーボード等の入力デバイス、他のシステムからの図面情報を入力する入力インターフェイス、図面を読み取るためのスキャナ装置等の入力部１と、ＣＰＵ及び所定のアプリケーション・ソフトウェア等で構成された編集部２と、図面ファイルを記憶するハードディスク装置等のファイル記憶部３と、図面データを表示するカラーＣＲＴディスプレイ装置又はカラー液晶ディスプレイ装置等の表示部４と、図面データの編集ワークエリアを提供するメモリ５とを備えて構成されている。
【００１８】
編集部２は、ラスタデータ編集処理部６、ベクタデータ編集処理部７、ファイル処理部８及び表示制御部９を備えて構成されている。ラスタデータ編集処理部６は、メモリ５に格納された図面データのうちラスタデータの部分を作成、編集処理する。ベクタデータ編集処理部７は、メモリ５に格納された図面データのうちベクタデータの部分を作成、編集処理する。なお、このベクタデータ編集処理部７は、図面データの編集過程でラスタデータから変換されたベクタデータやＣＡＤシステムによって付け加えられたベクタデータ等を編集するもので、ここでは、最終記録形態としてラスタデータ形式の図面ファイルが作られることになる。これらの編集処理部６，７では、図面ファイルのマルチレイヤ構造を実現するため、レイヤの追加、削除、レイヤの属性（レイヤ番号、レイヤ色等）指定を行う処理も実行する。ファイル処理部８は、これら編集処理部６，７で作成、編集された図面データをラスタデータ形式の図面ファイルに変換してファイル記憶部３に記憶したり、ファイル記憶部３に記憶されている図面ファイルをメモリ５に読み込むためのファイルアクセス処理を実行する。ここでは、マルチレイヤ構造でラスタデータ形式の図面ファイルとして、例えばマルチページＴＩＦＦ（Tag Image File Format）ファイルを使用している。表示制御部９は、入力部１の操作に基づいて、メモリ５上の図面データやオペレーションに必要な各種情報を表示部４に表示するための制御を実行する。なお、この編集部２の各ブロックの機能を実現するためのプログラムは、例えばＣＤ−ＲＯＭ等の適当な媒体に記録されて提供される。
【００１９】
次に、このように構成された図面ファイルの作成編集装置の動作について説明する。図２は、この図面ファイルの作成編集装置の起動後の操作画面イメージを表す図である。
【００２０】
この編集装置が起動されると、表示部４の表示画面上に、メイン操作画面１０が表示される。このメイン操作画面１０は、起動しているソフトウェア名等を表示するタイトルバー２０、そのソフトウェアの機能を選択するためのメニューバー３０及びツールバー４０、ソフトウェアの機能のうち特に便利な機能を選択するための機能ツールバー４１、レイヤに関する操作を行うためのレイヤツールバー４２、各種モードや単位及び尺度等を表示するステータスバー５５、読み込んだ図面ファイル等を表示して編集作業等を行う作業領域５０ａ等で構成されている。メニューバー３０の各メニューは文字表示、ツールバー４０及び機能ツールバー４１の各ツールはアイコン表示で表示され、機能操作性の向上が図られている。
【００２１】
まず、スキャナ等で読み込まれファイル記憶部３に格納された図面データ等のラスタデータ形式のデータファイルを開くために、メイン操作画面１０に表示されたメニューバー３０のファイルメニュー３１の「開く」項目やツールバー４０の「開く」アイコン４３等を利用して「ファイルを開く」コマンドを選択する。入力部１に「ファイルを開く」コマンドが選択された旨が入力されると、その情報がファイル処理部８に伝えられ、表示部４に表示されたメイン操作画面１０上に、図３に示すように、ファイルを開くダイアログ１１が表示される。このファイルを開くダイアログ１１のファイル表示エリア１２には、ファイル記憶部３に格納されているデータファイルが表示される。この表示されたファイルのうち、例えばマルチページＴＩＦＦファイル形式のファイルを選択し「開く」を指定すると、図４に示すように、ページ読込ダイアログ１３が表示される。このページ読込ダイアログ１３では、マルチページＴＩＦＦファイルの読み込みに際してページ一括読込かページ指定読込かを選択することができる。
【００２２】
この場合、例えば「はい」ボタンをマウス等でクリックしページ一括読込を選択してファイルを開くと、ファイル処理部８はファイル記憶部３からマルチページＴＩＦＦファイルの全ページを一括でメモリ５に読み込む。表示制御部９は、図５に示すように、表示部４によって表示される作業領域５０ａ内に作業ウィンドウ５０ｂを作成し、読み込んだマルチページＴＩＦＦファイルの各ページの図面データを重ねて表示させることによりマルチレイヤ構造を表示する。
【００２３】
一方、ページ指定読込を選択すると、図６に示すように、ページ選択ダイアログ１４が表示される。このページ選択ダイアログ１４では、例えばダイアログウィンドウのスクロールバー１５を使用して各ページの表示を切り替え、任意にマルチページＴＩＦＦファイルの読み込むページを選択することができる。この場合、マルチページＴＩＦＦファイルの内部データは、ページ毎に順次ファイル記憶部３からファイル処理部８に読み込まれる。例えば同図では、４ページからなるマルチページＴＩＦＦファイルの２ページ目の図面データが表示エリア１２に表示されており、このページを選択し開くと、この図面データのみがファイル記憶部３からファイル処理部８によってメモリ５に読み込まれることになる。読み込まれたデータは、ページ一括読込のときと同様に各編集処理部６，７及び表示制御部９に出力され、適宜編集等されることになる。
【００２４】
仮に、ページ読込ダイアログ１３で３ページからなるマルチＴＩＦＦファイルのページ一括読込を選択したとすると、図７に示すように、作業領域５０ａ内の作業ウィンドウ５０ｂには円形の図面データ５１が属する１ページ目のレイヤＬ１と、三角形を示す図面データ５２が属する２ページ目のレイヤＬ２と、正方形の図面データ５３が属する３ページ目のレイヤＬ３とが重ね合わせて表示される。各レイヤＬ１〜Ｌ３及びそれに属する図面データ５１〜５３に対しては、ラスタデータ編集処理部６にてそれぞれ独立して編集等することができると共に、これらを合成して新たなレイヤＬ４としてまとめた上で編集等することもできる。この場合、合成したレイヤＬ４を新たなページにすれば、ページ指定読込でレイヤＬ４のページのみを読み込んでも、上述のページ一括読込で読み込まれた図面データ５１〜５３と同一の図面データ５４を表示することができる。更に、例えばレイヤＬ１の円形の図面データ５１の半円分だけ他のレイヤに複写して、Ｌ１の残りの図面データ５１を分割して複数の他のレイヤに属させること等の編集もできる。また、このようにして編集された各レイヤも、図８に示すように、レイヤツールバー４２等で簡単に表示切替等を行うことができる。このように、マルチレイヤを用いて図面データを編集することが、複数のラスタデータファイルへのアクセス等を伴わずに一つのＴＩＦＦファイル上で可能となる。これは、新たにページ機能を有するマルチページＴＩＦＦファイルを採用したことにより実現することができるようになったものである。
【００２５】
ここで、マルチページＴＩＦＦファイルについて簡単に説明する。
なお、このマルチページＴＩＦＦファイルは、一つのＴＩＦＦファイル内に複数のイメージデータをページとして格納することができるものなので、複数の図面データ等の運用を複数のＴＩＦＦファイルを運用せずに一つのＴＩＦＦファイルのみで行い、これにより迅速なファイル処理等を可能にするものでもある。このマルチページＴＩＦＦファイルの基本的なファイル構成を図９に示す。
【００２６】
このマルチページＴＩＦＦファイル６０は、ファイルの見出しであるヘッダ６０ａとファイルの各構成を担うＩＦＤ６０ｂ１〜６０ｂｎとでタグ構成の全体構造が形成されている。ヘッダ６０ａには、ファイルのフォーマットを示すバイト・オーダー６１、ファイルのバージョンを示すバージョン番号６２、スタート・ロケーションを示す最初のＩＦＤへのポインタ６３等の情報が格納されている。各ＩＦＤ６０ｂ１〜６０ｂｎには、ＩＦＤのディレクトリへのエントリを示すイメージ・ファイル・ディレクトリ・エントリ（Image File Directory Entries：以下、「ＩＦＤＥ」と呼ぶ。）６４、各ＩＦＤが採用するＴＩＦＦファイルのファイル形式を示すファイルタイプ・タグ番号６５、同じくそのファイルのページ位置を示すページ・タグ番号６６、次のロケーションを示すＩＦＤへのポインタ６７、画像等を示す図面データを構成するイメージデータ６８等の情報が格納されている。
【００２７】
このイメージデータ６８には、レイヤ番号やレイヤ色等の情報であるレイヤ属性情報６８ａ及び各図形を構成するラスタデータからなる図面データ６８ｂ等が格納されており、ラスタデータ編集処理部６でこれらの情報を変更等することにより、各レイヤ及び図面データの編集等をすることができる。
【００２８】
ここで、図７で示したレイヤのイメージを更に詳しく表した図１０を用いてこのマルチページＴＩＦＦファイルのファイルイメージを説明すると、一つのマルチページＴＩＦＦファイル６０は、上述したように基本的にはヘッダ＋ページ（１〜ｎページ）の構造で構成されており、この各ページにそれぞれ図面データ等のラスタデータを格納しレイヤ（Ｌ１〜Ｌｎ）に属させることで、実際には一つのマルチページＴＩＦＦファイル６０を使用しているにもかかわらず、複数のＴＩＦＦファイルを使用してラスタデータの編集を行っているのと同様な効果を生じさせており、且つ、複数のラスタデータの合成・分割等の編集処理を一つのＴＩＦＦファイルの運用のみで可能にしているため、ラスタデータからなる図面データ等の編集を容易にし、ファイル処理の高効率化を図っている。
【００２９】
例えば、マルチページＴＩＦＦファイル６０の１ページ目から３ページ目（Ｐ１〜Ｐ３）を読み込み、各レイヤＬ１〜Ｌ３に属する図面データ５１〜５３をラスタデータ編集処理部６で編集し合成して新たな４ページ目（Ｐ４）を作成し、このレイヤＬ４に属する図面データ５４を作り出した場合でも、マルチページＴＩＦＦファイル６０内のページに相当するデータ量が増えただけでファイル自体の処理数には変化がない。また、合成された４ページ目（Ｐ４）の合成元ページである１ページ目から３ページ目（Ｐ１〜Ｐ３）もマルチページＴＩＦＦファイル６０内に独立して残存するため、４ページ目を分割して元の１ページ目から３ページ目（Ｐ１〜Ｐ３）に再構成するような場合、マルチページＴＩＦＦファイル６０内の１ページ目から３ページ目をファイル処理部８が再読込し擬似的に４ページ目を分割したような編集もすることもできる。このように、一つのラスタデータファイルのみでは通常不可能な編集も可能になるので、種々の図面データが含まれる図面ファイルの編集をスムーズなファイルアクセスと共に実現する。
【００３０】
次に、各ページ（各レイヤ）毎の表示色設定等について説明する。
【００３１】
上述したように、本実施例の図面ファイルの作成編集方法では、マルチページＴＩＦＦファイル６０を採用したことにより、一つのＴＩＦＦファイル上に複数の図面データを格納することができ、一つのＴＩＦＦファイルのみで複数の図面データを取扱うことが可能である。それは、各図面データをマルチページＴＩＦＦファイル６０の各ページに格納し、そのページをレイヤと見立てて取扱うことにより可能となったものである。各図面データはそれぞれ複数のレイヤに属させられ、レイヤ毎に細かな編集がなされる。しかし、マルチページを採用したことにより、個々のレイヤに属する図面データ等を他のレイヤに属する図面データ等から確実に区別して表示する必要があるために各レイヤ毎に表示色の設定が設けられているが、それはレイヤに対して一律に有効なので、例えばラスタデータ／ベクタデータが編集過程で同一レイヤ上に存在するときなどには、それらのデータをレイヤ表示色により区別することが困難となる。そこで、各レイヤ毎の詳細な表示色設定等を可能にし対応を図っている。
【００３２】
まず、レイヤの表示色設定等を行うためには、メイン操作画面１０上のメニューバー３０のレイヤメニュー３２やツールバー４０のレイヤツールバー４２等を利用して「レイヤイメージ」の項目を選択する。レイヤイメージが選択されると、図１１に示すように、レイヤ設定ダイアログ１６が表示される。このレイヤ設定ダイアログ１６は、主に読み込まれている各レイヤを表示するレイヤ表示ウィンドウ１７と、各レイヤに名称を設定するためのレイヤ名設定ボックス１８と、各レイヤの表示色（レイヤ色）を選択するためのレイヤ色選択メニュー１９とで構成されている。
【００３３】
例えば、このレイヤ設定ダイアログ１６では、全表示ボタン２１又は全非表示ボタン２２を選択することにより、全レイヤの表示／非表示を切り替えることができる。一方、各レイヤ毎に表示／非表示を選択したい場合は、レイヤ表示ウィンドウ１７のチェックボックス１７ａ〜ｄにチェックマークを付すか否かで表示／非表示を切り替えることができる。このレイヤ設定ダイアログ１６で選択されたレイヤ表示／非表示の情報は、表示制御部９に出力され表示部４での表示／非表示が実行される。レイヤ名設定ボックス１８に入力されたレイヤ名の情報は、ラスタデータ編集処理部６に出力され、そこで各レイヤのレイヤ情報に書き込まれ登録される。レイヤ色選択メニュー１９で選択されたレイヤ表示色情報は、ラスタデータ編集処理部６内部に備えられた色情報データベース等からの表示色情報と参照され、レイヤ表示色が設定される。選択された表示色情報は、表示制御部９に出力されイメージデータ６８内のレイヤ情報の書替や表示部４での表示処理のために供される。仮に、レイヤＬ１〜Ｌ４にそれぞれ赤、青、緑、紫の表示色を設定し、全てのレイヤに対して表示を選択した場合は、図１２に示すように、各レイヤに属する全ての図面データがそれぞれのレイヤ表示色で表示される。
【００３４】
また、作図の対象となる図面データの属するレイヤ（以下、アクティブレイヤと呼ぶ。）を他のレイヤと容易に識別可能とするための色の設定等もすることができる。まず、アクティブレイヤの表示色設定等を行うためには、メイン操作画面１０上のメニューバー３０のオプションメニュー３３を利用して「色の設定」の項目を選択する。この項目が選択されると、図１３に示すように、色の設定ダイアログ７０が表示される。このレイヤ設定ダイアログ７０は、主に非アクティブレイヤの図面データの表示色を有効にするか否かを設定するためのラスタ図形色設定メニュー７１ａ及びベクタ図形色設定メニュー７１ｂと、選択図面データの表示色を設定するための選択図形色設定メニュー７２と、作図等の作業時に基準となるガイド線の表示色を設定するためのガイドライン色設定メニュー７３と、表示ウィンドウ５０ｂの背景色を設定するための背景色設定メニュー７４とで構成されている。
【００３５】
この色の設定ダイアログ７０において、ラスタ図形色設定メニュー７１ａ及びベクタ図形色設定メニュー７１ｂを使用することにより、非アクティブレイヤ上の図面データの表示色をラスタデータ／ベクタデータのそれぞれについて設定することができる。両メニュー７１ａ，７１ｂにある設定項目「システム色」を選択した場合には、非アクティブレイヤの図面データの表示色はアクティブレイヤの表示色よりも薄く（高明度で）表示され、「レイヤ色」を選択した場合には、同じ濃さ（同明度）で表示される。例えば、ラスタデータのみを編集しているときに、ラスタ図形色設定メニュー７１ａで「システム色」を選択し、レイヤＬ１〜Ｌ４を全表示に設定すると共に、図形描画等の作業をしているアクティブレイヤがＬ１である場合において、レイヤＬ１〜Ｌ４の表示ウィンドウ５０ｂ上での表示イメージは、図１４に示すようなものとなる。即ち、レイヤＬ１に属する図面データのみが鮮明に表示され、他のレイヤＬ２〜Ｌ４に属する図面データは通常設定のレイヤ色よりも高い色明度で表示されることにより薄い色での表示がなされ、これにより、複数のレイヤを開き複数の図面データが表示されているときでも、作業をしているレイヤの図面データを一目で識別することができることが可能となる。
【００３６】
更に、ラスタデータ編集処理部６及びベクタデータ編集処理部７からの情報や入力部１からの図面データ選択モード（ラスタ／ベクタ選択）変更の情報等に基づき、表示制御部９は同一レイヤ上の図面データ表示色の色明度を変更する。例えば、図１５に示すように、レイヤＬ１〜Ｌ４のうちアクティブレイヤはＬ１であり、Ｌ１にはラスタデータとベクタデータの図面データが混在していて、選択モードが「ラスタ」となっている場合、アクティブレイヤＬ１上のラスタデータの図面データのみがレイヤ表示色である赤色と同色で表示され、同一レイヤＬ１上のベクタデータの図面データは灰色で表示される処理がなされる。反対に選択モードが「ベクタ」となっている場合、アクティブレイヤＬ１上のベクタデータの図面データのみがレイヤ表示色である赤色と同色で表示され、同一レイヤＬ１上のラスタデータの図面データは灰色で表示される。このように同一レイヤ上でも図面データのデータ形式の違いにより、表示色を変更することができるので、ラスタ／ベクタ形式の図面データが編集時に混在するようなときでも複数のレイヤを用いて容易に編集等することができる。
【００３７】
【発明の効果】
以上述べたように、この発明によれば、図面データを格納した図面ファイルが複数ページから構成され、このファイルから選択したページの図面データをメモリに読み込み、これらの図面データを重ねて表示し、メモリに読み込まれた各ページの図面データを、各レイヤに属する図面データとして編集処理するようにしているため、編集操作は１つのファイルに対してのみ行うことができ、しかもラスタデータを使用しながら各ページを各レイヤとするマルチレイヤの編集操作が可能になるという効果を奏する。また、このように、ラスタデータをマルチレイヤ構造とすることで、編集作業用のレイヤを適宜追加、削除して、下書きを表示したり、ゴミ取り処理によって取り除かれた要素を取り敢えず記憶しておく等の用途に使用することができ、編集時の操作性が格段に向上するという効果を奏する。
【図面の簡単な説明】
【図１】  この発明の一実施例に係る図面ファイルの作成編集方法を実現する図面ファイル作成編集装置の基本構成の一部を示す機能ブロック図である。
【図２】  同装置の起動後の操作画面イメージを表す図である。
【図３】  同装置のメイン操作画面上に表示されたファイルを開くダイアログを示す図である。
【図４】  同装置のメイン操作画面上に表示されたページ読込ダイアログを示す図である。
【図５】  同装置のメイン操作画面上の作業領域内に表示された作業ウィンドウを示す図である。
【図６】  同装置のメイン操作画面上に表示されたページ選択ダイアログを示す図である。
【図７】  同装置におけるマルチページＴＩＦＦファイルとレイヤと図面データとの関係のイメージを表す図である。
【図８】  同装置のメイン操作画面上のレイヤツールバーによる表示切替を示す図である。
【図９】  マルチページＴＩＦＦファイルの基本的なファイル構成示す図である。
【図１０】  同装置におけるマルチページＴＩＦＦファイルとレイヤと図面データとの関係のイメージを表す図である。
【図１１】  同装置のメイン操作画面上に表示されたレイヤ設定ダイアログを示す図である。
【図１２】  同装置のメイン操作画面上のレイヤに属する図面データがどのように表示されるかを説明するための図である。
【図１３】  同装置のメイン操作画面上に表示された色の設定ダイアログを示す図である。
【図１４】  同装置のメイン操作画面上の作業ウィンドウに表示された各レイヤに属する図面データのイメージを表す図である。
【図１５】  同装置のメイン操作画面上の作業ウィンドウに表示された各レイヤに属する図面データのイメージを表す図である。
【符号の説明】
１…入力部、２…編集部、３…ファイル記憶部、４…表示部、５…メモリ、６…ラスタデータ編集処理部、７…ベクタデータ編集処理部、８…ファイル処理部、９…表示制御部。
【図１】
0004402796.tif 000002
【図２】
0004402796.tif 000003
【図３】
0004402796.tif 000004
【図４】
0004402796.tif 000005
【図５】
0004402796.tif 000006
【図６】
0004402796.tif 000007
【図７】
0004402796.tif 000008
【図８】
0004402796.tif 000009
【図９】
0004402796.tif 000010
【図１０】
0004402796.tif 000011
【図１１】
0004402796.tif 000012
【図１２】
0004402796.tif 000013
【図１３】
0004402796.tif 000014
【図１４】
0004402796.tif 000015
【図１５】
0004402796.tif 000016